(57)【要約】      （修正有）【課題】携帯機器に用いられる撮影モジュールにおける、回路基板の撮像部品搭載箇所の強度を向上する撮影モジュール保護構造を提供する。【解決手段】回路基板２１、筐体及び撮像部品からなる撮影モジュール２において、レンズ２３１、レンズ受台２３２からなる撮像部品を搭載する基板に納置空間２２６を形成した固定部２２３を設けて、この囲まれた構造により該撮像部品を収容することにより撮像部品を保護すると共に回路基板の強度を向上して補強する。【選択図】図２Ａ
0003210561.tif 000002
【実用新案登録請求の範囲】
【請求項１】
回路基板、筐体及び撮像部品とからなる撮影モジュール構造において、
上記筐体は上記回路基板上に設置され、
該筐体の少なくとも一側には上記撮像部品を搭載する固定部を設けると共に該固定部には上記撮像部品を収容するための囲まれた構造からなる納置空間を形成し、
該納置空間内にレンズ及びレンズ受台を備えた撮像部品を収納したことを特徴とする撮影モジュール保護構造。
【請求項２】
前記筐体は、下側を上記回路基板の一側に対応して貼着したことを特徴とする請求項１記載の撮影モジュール保護構造。
【請求項３】
前記筐体は、一体成型の構造であることを特徴とする請求項１記載の撮影モジュール保護構造。
【請求項４】
前記筐体は、更に、回路基板上方に相対して上記固定部を挟んでそれぞれ第一筐体蓋及び第二筐体蓋を備え、それらの両側辺にそれぞれ第一側及び第二側、第三側及び第四側を形成した
ことを特徴とする請求項１記載の撮影モジュール保護構造。
【請求項５】
更に、前記筐体の第一筐体蓋と第二筐体蓋の隣接する側辺の第一側及び第三側を連接する一つの固定片を設け、前記納置空間に沿わせて補強したことを請求項４記載の撮影モジュール保護構造。
【請求項６】
前記固定片と前記第一筐体蓋と第二筐体蓋の隣接する側辺との連接方式は、リベット接合もしくは接着接合のうちのどちらかを選択することを特徴とする請求項５記載の撮影モジュール保護構造。
【請求項７】
前記撮影モジュール保護構造は、更に少なくとも一つの第二固定片を備え、
該第二固定片は前記固定片に相対する反対側に設置し、
前記第一筐体蓋及び第二筐体蓋のそれぞれ反対側の側辺の第二側及び第四側に連接することを特徴とする請求項４記載の撮影モジュール保護構造。
【請求項８】
前記第二固定片と前記前記第一筐体蓋及び第二筐体蓋のそれぞれ反対側の側辺との連接方式は、リベット接合もしくは接着接合のうちのどちらかを選択することを特徴とする請求項７記載の撮影モジュール保護構造。
【請求項９】
前記撮影モジュール保護構造は、更に該回路基板上に設置するコネクタを備え、該コネクタは電子装置の回路と相互に連接することを特徴とする請求項１記載の撮影モジュール保護構造。
【考案の詳細な説明】
【技術分野】
【０００１】
本考案は、撮影モジュール保護構造に関するもので、特に撮影モジュール全体の構造強度を高め、更に撮影モジュール破損率を大幅に減らす撮影モジュール保護構造に係る。
【背景技術】
【０００２】
科学技術の進歩に伴い、撮影モジュールは、益々電子製品、例えばノートパソコン、スマートフォン等に応用されている。そして、これら電子製品は本体が軽量化、薄型化に向かっているため、その中に設置される撮影モジュールの厚みや重量の総体及び品質の要求は非常に厳格である。故に、如何にして撮影モジュールの厚み、重量の総体を下げ、品質を上げるかは各メーカーの必要に迫られる問題である。
【０００３】
図１は、公知の撮影モジュール１であり、回路基板１０、筐体１１、撮像部品１２及びコネクタ１３等から構成される。該筐体１１及び該撮像部品１２は、該回路基板１０上に設置する。図１に示すとおり、組立生産過程において、該筐体１１及び撮像部品１２の間には間隙１４を備えるが、該間隙１４の形成によって、回路基板１０が折れるという問題が発生する。その他、撮影モジュール１の運搬過程において外力に依る衝撃が撮像部品１２及び撮影モジュール全体１を破損し、撮影モジュール全体１の構造強度が弱くなる。
【先行技術文献】
【特許文献】
【０００４】
【特許文献１】特開２０１４−２１６９７３号公報
【特許文献２】特開２０１３−２１４９６４号公報
【特許文献３】特開２００４−２１４７８８号公報
【考案の概要】
【考案が解決しようとする課題】
【０００５】
解決しようとする問題点は、一つ目に撮影モジュール全体の構造強度が低く、二つ目に撮影モジュール全体の破損率が高く、三つ目に撮影モジュールの組立時に回路版の破損が容易に発生する点である。
【０００６】
そのため、上述の公知の問題を改善することが本考案者と当該関連業界従事者が研究を求める点である。
【課題を解決するための手段】
【０００７】
本考案は、回路基板、筐体及び撮像部品を含む。該筐体は該回路基板上に設置し、少なくとも一側には固定部を成形する。該筐体の該固定部に対応する箇所には、撮像部品１２の納置空間を形成し、該撮像部品は該納置空間内に対応して設置する。本考案のこの構造は該筐体の固定部が成形されることを最も主要な特徴とする。
【考案の効果】
【０００８】
本考案の撮影モジュール保護構造は、一つ目に撮影モジュール全体の構造強度を高め、二つ目に 撮影モジュール全体の破損率を大幅に下げ、三つ目に撮影モジュールの組立時に回路版の破損が容易に発生する問題を防止するという利点がある。
【図面の簡単な説明】
【０００９】
【図１】公知の撮影モジュールの立体組立図である。
【図２Ａ】本考案の撮影モジュール保護構造の第一実施例の立体分解図である。
【図２Ｂ】本考案の撮影モジュール保護構造の第一実施例の立体組立図である。
【図３Ａ】本考案の撮影モジュール保護構造の第二実施例の立体分解図である。
【図３Ｂ】本考案の撮影モジュール保護構造の第二実施例の立体組立図である。
【図４Ａ】本考案の撮影モジュール保護構造の第三実施例の立体分解図である。
【図４Ｂ】本考案の撮影モジュール保護構造の第三実施例の立体組立図である。
【考案を実施するための形態】
【００１０】
上述の問題を改善するため、撮影モジュール全体の構造強度を高める撮影モジュール保護構造を提供することを本考案の主な目的とする。
【００１１】
撮影モジュール破損率を大幅に減らす撮影モジュール保護構造を提供することを本考案の次の目的とする。
【００１２】
撮影モジュールの組立時、回路基板が容易に折れて破損する問題を防止する撮影モジュール保護構造を提供することを本考案の更に次の目的とする。
【００１３】
上述の問題を達成するため、本考案は、撮影モジュール保護構造を提供する。それは回路基板、筐体及び撮像部品を含む。該筐体は、該回路基板上に設置し、該筐体は少なくとも一側に固定部を成形し、納置空間は該筐体の該固定部に対応する箇所に形成する。該撮像部品は該納置空間内に対応して設置する。該撮像部品はレンズ及びレンズ受台を備え、該レンズは該レンズ受台内に対応して納置する。
【００１４】
本考案のこの構造によって該筐体の固定部の構造は組立時に回路版が折れたり、機能が破損しやすい問題を有効に防止し、且つ搬送や生産過程時に外力によってぶつかることに依る撮像部品及び撮影モジュールの破損率を大幅に下げ、更に撮影モジュール全体の構造強度を高める。
【実施例１】
【００１５】
本考案の上述目的及びその構造と機能上の特徴について、図を挙げて好適な実施例で説明する。
【００１６】
図２Ａ、２Ｂは、本考案の撮影モジュール保護構造の第一実施例の立体分解図及び立体組立図である。図に示すとおり、撮影モジュール保護構造は、回路基板２１、筐体２２及び撮像部品２３を含む。該筐体２２は上側２２１及び下側２２２を備え、該下側２２２は該回路基板２１の一側に対応して貼着する。該筐体２２の少なくとも一側には固定部２２３を成形し、該筐体２２の該固定部２２３に相対する箇所には、納置空間２２６を形成する。該撮像部品２３は該納置空間２２６内に対応して設置し、該撮像部品２３はレンズ２３１及びレンズ受台２３２を備え、該レンズ２３１は該レンズ受台２３２内に対応して納置する。
【００１７】
当実施例において、該筐体２２は、一体成型の構造であり、言い換えると、該固定部２２３の構造は該筐体２２を成形したうちの一構造である。
【００１８】
その他、本考案の各実施例において、該撮影モジュール２は、更にコネクタ２６を備える。該コネクタ２６は該回路基板２１上に設置し、電子装置（図未提示）の回路と相互に連接する。
【００１９】
本考案である当構造の該筐体２２の少なくとも一側に形成した固定部２２３の構造によって、組立時に容易に回路基板２１が折れたり、もしくは機能が破損する問題を有効に防止し、且つ運搬中に外力によってぶつかり、該撮像部品２３及び撮影モジュール２が外力によって破損する確率を大幅に下げ、更に撮影モジュール全体２の構造強度を上げる。
【実施例２】
【００２０】
図３Ａ、３Ｂ並びに図２Ｂは本考案の撮影モジュール保護構造の第二実施例の立体分解図及び立体組立図である。該撮影モジュール保護構造の一部部品及び部品間の相対関係は、前述の撮影モジュール保護構造と同じであるため、ここでは説明しない。本撮影モジュール保護構造と前述の最も異なる点として、該筐体２２は、更に第一筐体蓋２２４及び第二筐体蓋２２５を備える。該第一筐体蓋２２４の両側は、それぞれ第一側２２４Ａ及び第二側２２４Ｂを成形し、該第一側２２４Ａは該第二側２２４Ｂに相対し、該第二筐体蓋２２５の両側は、それぞれ第三側２２５Ａ及び第四側２２５Ｂを成形し、該第三側２２５Ａは該第四側２２５Ｂに相対する。該撮影モジュール２は更に少なくとも一つの第一固定片２４を備え、それは該筐体２２の一側辺に対応設置して該納置空間２２６に隣接する。該第一固定片２４は該第一筐体蓋２２４の第一側２２４Ａ及び該第二筐体蓋２２５の第三側２２５Ａに連接し、その連接方式はリベット接合もしくは接着接合のうちのどちらかを選択する。当実施例では、該第一固定片２４が前述第一実施例の固定部２２３に代替し、該第一固定片２４を該筐体２２の該撮像部品２３に隣接する箇所に設置して同様に前述の効果を達成する。
【実施例３】
【００２１】
最後に、図４Ａ、４Ｂは、本考案の撮影モジュール保護構造の第三実施例の立体分解図及び立体組立図である。該撮影モジュール保護構造の一部部品及び部品間の対応する関係は前述撮影モジュール保護構造と同じであるため、ここでは説明しない。当撮影モジュール保護構造と前述の最も異なる点として、該撮影モジュールは、更に少なくとも一つの第二固定片２５を備え、それは該筐体２２の他の一側辺に対応設置し、該納置空間２２６に隣接する。該第二固定片２５は該第一筐体蓋２２４の第二側２２４Ｂ及び該第二筐体蓋２２５の第四側２２５Ｂに連接し、その連接方式はリベット接合もしくは接着接合のうちのどちらかを選択する。当実施例では、第二実施例該の第一固定片２４の他に、更に該第二固定片２５を使用し、該第一、二固定片２４、２５を該筐体２２のの両側辺にそれぞれ設置し、且つ該撮像部品２３を設置する箇所に隣接して、同様に前述の効果を達成する。
【００２２】
以上は本考案の詳細な説明であるが、上述は本考案の良好な一実施例に過ぎず、本考案の請求範囲を制限しない。即ち、本考案の請求範囲に依る同じ変化と修飾等はすべて本考案の請求範囲に含まれるものとする。
【符号の説明】
【００２３】
２        撮影モジュール
２１        回路基板
２２        筐体
２２１        上側
２２２        下側
２２３        固定部
２２４        第一筐体蓋
２２４Ａ      第一側
２２４Ｂ      第二側
２２５        第二筐体蓋
２２５Ａ      第三側
２２５Ｂ      第四側
２２６        納置空間
２３        撮像部品
２３１        レンズ
２３２        レンズ受台
２４        第一固定片
２５        第二固定片
２６        コネクタ
【図１】
0003210561.tif 000003
【図２Ａ】
0003210561.tif 000004
【図２Ｂ】
0003210561.tif 000005
【図３Ａ】
0003210561.tif 000006
【図３Ｂ】
0003210561.tif 000007
【図４Ａ】
0003210561.tif 000008
【図４Ｂ】
0003210561.tif 000009
【手続補正書】
【提出日】平成29年3月14日(2017.3.14)
【手続補正１】
【補正対象書類名】実用新案登録請求の範囲
【補正対象項目名】請求項７
【補正方法】変更
【補正の内容】
【請求項７】
前記撮影モジュール保護構造は、更に少なくとも一つの第二固定片を備え、
該第二固定片は前記固定片に相対する反対側に設置し、
前記第一筐体蓋及び第二筐体蓋のそれぞれ反対側の側辺の第二側及び第四側に連接することを特徴とする請求項５記載の撮影モジュール保護構造。
【手続補正２】
【補正対象書類名】実用新案登録請求の範囲
【補正対象項目名】請求項５
【補正方法】変更
【補正の内容】
【請求項５】
更に、前記筐体の第一筐体蓋と第二筐体蓋の隣接する側辺の第一側及び第三側を連接する一つの固定片を設け、前記納置空間に沿わせて補強したことを特徴とする請求項４記載の撮影モジュール保護構造。
【手続補正３】
【補正対象書類名】実用新案登録請求の範囲
【補正対象項目名】請求項８
【補正方法】変更
【補正の内容】
【請求項８】
前記第二固定片と前記第一筐体蓋及び第二筐体蓋のそれぞれ反対側の側辺との連接方式は、リベット接合もしくは接着接合のうちのどちらかを選択することを特徴とする請求項７記載の撮影モジュール保護構造。